(57)【要約】【課題】落下時の衝撃を受けても、パネル割れが生じ難いプラズマディスプレイ装置を提供する。【解決手段】前面パネル２と背面パネル４とが主面の縁部を封止部材３で所定の隙間を隔てて、接着された表示パネル１と、背面パネル４の前面パネル２と結合された面の裏面に面状接合された金属シャーシ５と、表示パネル１の有効表示領域を規定する開口部１０を有する前面筐体７と、表示パネル１に対して、前面筐体７と反対側の位置に前面筐体７と対向するように配置された背面筐体９と、前面筐体７と背面筐体９とを接続する側面筐体８と、対向する側面筐体８との間に配置されたフレーム１１と、前面筐体７の開口部１０に配置された前面保護パネル１３とを備える。金属シャーシ５の表示パネル１と接合された面の裏面と、フレーム１１とを結合する伸縮自在な支持部材１２ａと、前面パネル２と、前面保護パネル１３とを結合する緩衝部材１４とを備える。【選択図】図３
2010060908.tif 000002
【特許請求の範囲】
【請求項１】
前面パネルと背面パネルとを有し、前記前面パネルの主面と前記背面パネルの主面とが対向した状態で接着された表示パネルと、
前記背面パネルにおける前記前面パネルと接着された面の裏面に面状接合された金属シャーシと、
前記表示パネルの有効表示領域を規定する開口部を有する前面筐体と、
前記表示パネルに対して、前記前面筐体と反対側の位置に前記前面筐体と対向するように配置された背面筐体と、
前記前面筐体と前記背面筐体とを結合する側面筐体と、
前記対向する側面筐体との間に配置されたフレームと、
前記前面筐体の前記開口部に配置された前面保護パネルとを備えた映像表示装置において、
前記金属シャーシの前記表示パネルと接合された面の裏面と、前記フレームとを結合する伸縮自在な支持部材と、
前記前面筐体と、前記前面パネルまたは前記金属シャーシにおける前記表示パネルとの接合部から延在された部分とを結合する緩衝部材とを備えたことを特徴とする映像表示装置。
【請求項２】
前面パネルと背面パネルとを有し、前記前面パネルの主面と前記背面パネルの主面とが対向した状態で接着された表示パネルと、
前記背面パネルにおける前記前面パネルと接着された面の裏面に面状接合された金属シャーシと、
前記表示パネルの有効表示領域を規定する開口部を有する前面筐体と、
前記表示パネルに対して、前記前面筐体と反対側の位置に前記前面筐体と対向するように配置された背面筐体と、
前記前面筐体と前記背面筐体とを結合する側面筐体と、
前記対向する側面筐体との間に配置されたフレームと、
前記前面筐体の前記開口部に配置された前面保護パネルとを備えた映像表示装置において、
前記金属シャーシの前記表示パネルと接合された面の裏面と、前記フレームとを結合する伸縮自在な支持部材と、
前記前面保護パネルと、前記前面パネルまたは前記金属シャーシにおける前記表示パネルとの接合部から延在した部分とを結合する緩衝部材とを備えたことを特徴とする映像表示装置。
【請求項３】
前面パネルと背面パネルとを有し、前記前面パネルの主面と前記背面パネルの主面とが対向した状態で接着された表示パネルと、
前記背面パネルにおける前記前面パネルと接着された面の裏面に面状接合された金属シャーシと、
前記表示パネルの有効表示領域を規定する開口部を有する前面筐体と、
前記表示パネルに対して、前記前面筐体と反対側の位置に前記前面筐体と対向するように配置された背面筐体と、
前記前面筐体と前記背面筐体とを結合する側面筐体と、
前記前面筐体の前記開口部に配置された前面保護パネルとを備えた映像表示装置において、
前記金属シャーシの前記表示パネルと接合された面の裏面と、前記背面筐体とを結合する伸縮自在な支持部材と、
前記前面筐体と、前記前面パネルまたは前記金属シャーシにおける前記表示パネルとの接合部から延在した部分とを結合する緩衝部材とを備えたことを特徴とする映像表示装置。
【請求項４】
前面パネルと背面パネルとを有し、前記前面パネルの主面と前記背面パネルの主面とが対向した状態で接着された表示パネルと、
前記背面パネルにおける前記前面パネルと接着された面の裏面に面状接合された金属シャーシと、
前記表示パネルの有効表示領域を規定する開口部を有する前面筐体と、
前記表示パネルに対して、前記前面筐体と反対側の位置に前記前面筐体と対向するように配置された背面筐体と、
前記前面筐体と前記背面筐体とを結合する側面筐体と、
前記前面筐体の前記開口部に配置された前面保護パネルとを備えた映像表示装置において、
前記金属シャーシの前記表示パネルと接合された面の裏面と、前記背面筐体とを結合する伸縮自在な支持部材と、
前記前面保護パネルと、前記前面パネルまたは前記金属シャーシにおける前記表示パネルとの接合部から延在した部分とを結合する緩衝部材とを備えたことを特徴とする映像表示装置。
【請求項５】
前面パネルと背面パネルとを有し、前記前面パネルの主面と前記背面パネルの主面とが対向した状態で接着された表示パネルと、
前記背面パネルにおける前記前面パネルと接着された面の裏面に面状接合された金属シャーシと、
前記表示パネルの有効表示領域を規定する開口部を有する前面筐体と、
前記表示パネルに対して、前記前面筐体と反対側の位置に前記前面筐体と対向するように配置された背面筐体と、
前記前面筐体と前記背面筐体とを結合する側面筐体と、
前記対向する側面筐体との間に配置されたフレームとを備えた映像表示装置において、
前記金属シャーシの前記表示パネルと接合された面の裏面と、前記フレームとを結合する伸縮自在な支持部材と、
前記前面筐体と、前記前面パネルまたは前記金属シャーシにおける前記表示パネルとの接合部から延在した部分とを結合する緩衝部材とを備えたことを特徴とする映像表示装置。
【請求項６】
前面パネルと背面パネルとを有し、前記前面パネルの主面と前記背面パネルの主面とが対向した状態で接着された表示パネルと、
前記背面パネルにおける前記前面パネルと接着された面の裏面に面状接合された金属シャーシと、
前記表示パネルの有効表示領域を規定する開口部を有する前面筐体と、
前記表示パネルに対して、前記前面筐体と反対側の位置に前記前面筐体と対向するように配置された背面筐体と、
前記前面筐体と前記背面筐体とを結合する側面筐体とを備えた映像表示装置において、
前記金属シャーシの前記表示パネルと接合された面の裏面と、前記背面筐体とを結合する伸縮自在な支持部材と、
前記前面筐体と、前記前面パネルまたは前記金属シャーシにおける前記表示パネルとの接合部から延在した部分とを結合する緩衝部材とを備えたことを特徴とする映像表示装置。
【請求項７】
前記支持部材と前記背面筐体との間に補強板が配置された請求項３、４または６に記載の映像表示装置。
【請求項８】
前記金属シャーシの主面に平行な方向への変位を阻止するように、前記金属シャーシを前記筐体に固定する固定部材を備えた請求項１〜７のいずれか一項に記載の映像表示装置。
【発明の詳細な説明】
【技術分野】
【０００１】
本発明は、プラズマディスプレイ装置などの映像表示装置に関し、特に、落下などの衝撃によるパネル割れを防止する映像表示装置に関する。
【背景技術】
【０００２】
図９は、一般的なプラズマディスプレイ装置の断面図である。表示パネル１０１は、金属シャーシ１０５に接合されている。金属シャーシ１０５には、金属シャーシ１０５を固定するアルミ製のボス１１２が結合されている。ボス１１２は、側面筐体１０８間を繋ぐように配置されたフレーム１１１に固定されている。筐体１０６は、表示パネル１０１の有効表示領域から発せられる光が透過するように開口部１１０が形成された前面筐体１０７と、表示パネル１０１に対して、前面筐体１０７の反対側に形成された背面筐体１０９と、前面筐体１０７と背面筐体１０９とを繋ぐ側面筐体１０８とを有する。前面筐体１０７には、前面保護パネル１１３が配置されている。
【０００３】
以上のように、表示パネル１０１と接合した金属シャーシ１０５は、ボス１１２とフレーム１１１により筐体１０６に固定されている。このため、主に輸送中における落下等の衝撃が表示パネル１０１に伝達され、パネル割れが生じる問題がある。パネル割れが生じると、表示パネル１０１が発光しなくなる。
【０００４】
図１０は、衝撃が伝達された表示パネルの状態を示す断面図である。落下により表示パネル１０１は衝撃を受けて落下方向に変位するが、ボス１１２で固定された部分は変位できない。そのため、ボス１１２で固定された部分が節となり、表示パネル１０１が波打って、パネル割れが生じる。
【０００５】
この問題を解決するための映像表示装置が提案されている（例えば、特許文献１参照）。図１１は、パネル割れを防止するための映像表示装置の構成を示す断面図である。フレーム１１１が無く、アルミ製のボス１１２に替えてバネ１２１が金属シャーシ１０５と背面筐体１０９とを繋いでいる。この構成により、表示パネル１０１への落下時の衝撃を低減することができる。また、バネ１２１の伸張により、接合部分における表示パネル１０１が落下時に変位することが可能であるため、表示パネル１０１の波打ちが低減される。これらにより、パネル割れを防止することができる。
【特許文献１】特開２０００−１２２５６５号公報
【発明の開示】
【発明が解決しようとする課題】
【０００６】
しかしながら、上記構成では、落下時の衝撃により、表示パネル１０１が前面保護パネル１１３と衝突してパネル割れが生じる恐れがある。また、落下時の衝撃により、表示パネル１０１が長い時間振動することになり、振動の際に生じる応力により、パネル割れが生じる恐れがある。
【０００７】
本発明は、上記課題を解決するためになされたもので、落下時の衝撃を受けても、パネル割れが生じ難い映像表示装置を提供することを目的とする。
【課題を解決するための手段】
【０００８】
本発明の第１の映像表示装置は、前面パネルと背面パネルとを有し、前記前面パネルの主面と前記背面パネルの主面とが対向した状態で接着された表示パネルと、前記背面パネルにおける前記前面パネルと接着された面の裏面に面状接合された金属シャーシと、前記表示パネルの有効表示領域を規定する開口部を有する前面筐体と、前記表示パネルに対して、前記前面筐体と反対側の位置に前記前面筐体と対向するように配置された背面筐体と、前記前面筐体と前記背面筐体とを結合する側面筐体と、前記対向する側面筐体との間に配置されたフレームと、前記前面筐体の前記開口部に配置された前面保護パネルとを備える。上記課題を解決するために、前記金属シャーシの前記表示パネルと接合された面の裏面と、前記フレームとを結合する伸縮自在な支持部材と、前記前面筐体と、前記前面パネルまたは前記金属シャーシにおける前記表示パネルとの接合部から延在された部分とを結合する緩衝部材とを備えたことを特徴とするここで、有効表示領域とは、表示パネルから映像が表示される領域のことである。
【０００９】
本発明の第２の映像表示装置は、前面パネルと背面パネルとを有し、前記前面パネルの主面と前記背面パネルの主面とが対向した状態で接着された表示パネルと、前記背面パネルにおける前記前面パネルと接着された面の裏面に面状接合された金属シャーシと、前記表示パネルの有効表示領域を規定する開口部を有する前面筐体と、前記表示パネルに対して、前記前面筐体と反対側の位置に前記前面筐体と対向するように配置された背面筐体と、前記前面筐体と前記背面筐体とを結合する側面筐体と、前記対向する側面筐体との間に配置されたフレームと、前記前面筐体の前記開口部に配置された前面保護パネルとを備える。上記課題を解決するために、前記金属シャーシの前記表示パネルと接合された面の裏面と、前記フレームとを結合する伸縮自在な支持部材と、前記前面保護パネルと、前記前面パネルまたは前記金属シャーシにおける前記表示パネルとの接合部から延在した部分とを結合する緩衝部材とを備えたことを特徴とする。
【００１０】
本発明の第３の映像表示装置は、前面パネルと背面パネルとを有し、前記前面パネルの主面と前記背面パネルの主面とが対向した状態で接着された表示パネルと、前記背面パネルにおける前記前面パネルと接着された面の裏面に面状接合された金属シャーシと、前記表示パネルの有効表示領域を規定する開口部を有する前面筐体と、前記表示パネルに対して、前記前面筐体と反対側の位置に前記前面筐体と対向するように配置された背面筐体と、前記前面筐体と前記背面筐体とを結合する側面筐体と、前記前面筐体の前記開口部に配置された前面保護パネルとを備える。上記課題を解決するために、前記金属シャーシの前記表示パネルと接合された面の裏面と、前記背面筐体とを結合する伸縮自在な支持部材と、前記前面筐体と、前記前面パネルまたは前記金属シャーシにおける前記表示パネルとの接合部から延在した部分とを結合する緩衝部材とを備えたことを特徴とする。
【００１１】
本発明の第４の映像表示装置は、前面パネルと背面パネルとを有し、前記前面パネルの主面と前記背面パネルの主面とが対向した状態で接着された表示パネルと、前記背面パネルにおける前記前面パネルと接着された面の裏面に面状接合された金属シャーシと、前記表示パネルの有効表示領域を規定する開口部を有する前面筐体と、前記表示パネルに対して、前記前面筐体と反対側の位置に前記前面筐体と対向するように配置された背面筐体と、前記前面筐体と前記背面筐体とを結合する側面筐体と、前記前面筐体の前記開口部に配置された前面保護パネルとを備える。上記課題を解決するために、前記金属シャーシの前記表示パネルと接合された面の裏面と、前記背面筐体とを結合する伸縮自在な支持部材と、前記前面保護パネルと、前記前面パネルまたは前記金属シャーシにおける前記表示パネルとの接合部から延在した部分とを結合する緩衝部材とを備えたことを特徴とする。
【００１２】
本発明の第５の映像表示装置は、前面パネルと背面パネルとを有し、前記前面パネルの主面と前記背面パネルの主面とが対向した状態で接着された表示パネルと、前記背面パネルにおける前記前面パネルと接着された面の裏面に面状接合された金属シャーシと、前記表示パネルの有効表示領域を規定する開口部を有する前面筐体と、前記表示パネルに対して、前記前面筐体と反対側の位置に前記前面筐体と対向するように配置された背面筐体と、前記前面筐体と前記背面筐体とを結合する側面筐体と、前記対向する側面筐体との間に配置されたフレームとを備える。上記課題を解決するために、前記金属シャーシの前記表示パネルと接合された面の裏面と、前記フレームとを結合する伸縮自在な支持部材と、前記前面筐体と、前記前面パネルまたは前記金属シャーシにおける前記表示パネルとの接合部から延在した部分とを結合する緩衝部材とを備えたことを特徴とする。
【００１３】
本発明の第６の映像表示装置は、前面パネルと背面パネルとを有し、前記前面パネルの主面と前記背面パネルの主面とが対向した状態で接着された表示パネルと、前記背面パネルにおける前記前面パネルと接着された面の裏面に面状接合された金属シャーシと、前記表示パネルの有効表示領域を規定する開口部を有する前面筐体と、前記表示パネルに対して、前記前面筐体と反対側の位置に前記前面筐体と対向するように配置された背面筐体と、前記前面筐体と前記背面筐体とを結合する側面筐体とを備える。前記金属シャーシの前記表示パネルと接合された面の裏面と、前記背面筐体とを結合する伸縮自在な支持部材と、前記前面筐体と、前記前面パネルまたは前記金属シャーシにおける前記表示パネルとの接合部から延在した部分とを結合する緩衝部材とを備えたことを特徴とする。
【発明の効果】
【００１４】
本発明によれば、前面保護パネルと表示パネルとの間に振動を低減する緩衝材を設けることにより、落下時の衝撃により、パネル割れが生じ難い映像表示装置を提供することができる。
【発明を実施するための最良の形態】
【００１５】
本発明の映像表示装置は、上記構成を基本として、種々の態様をとることができる。すなわち、上記映像表示装置において、前記金属シャーシの主面に平行な方向への変位を阻止するように、前記金属シャーシを前記筐体に固定する固定部材を備えた構成にするこができる。この構成により、表示パネルの振動方向を金属シャーシの主面に対して垂直方向に限定することができるため、金属シャーシの主面に対して垂直方向以外の方向に振動することによる表示パネルのパネル割れを防止することができる。
【００１６】
また、第２の映像表示装置において、前記支持部材と前記背面筐体との間に補強板が配置された構成にすることができる。この構成では、補強板により、背面筐体の固定部付近の剛性を高めることができ、背面筐体の変形を防ぐことができる。
【００１７】
（実施の形態１）
図１は、本発明の実施の形態１に係る映像表示装置の構成を示す斜視図である。本実施の形態では、映像表示装置としてプラズマディスプレイ装置を例に挙げて説明する。図２は、図１に示すプラズマディスプレイ装置の背面筐体を取り外した状態の背面側から見た斜視図である。支持部材１２ａが金属シャーシ５を４点で支持するように配置されている。
【００１８】
図３は、図１のＡ−Ａ断面図（台座部の図示は省略）である。図４は、図３における緩衝部材４が配置された領域の拡大図である。図３において、表示パネル１の各構成を省略している。なお、説明のため、図３の向かって左側を前、右側を後と称す。
【００１９】
図３に示すように、表示パネル１は、金属シャーシ５に接着されている。図４に示すように、表示パネル１は、前面パネル２と背面パネル４とが、封止部材３に接着されて構成されている。封止部材３は、前面パネル２と背面パネル４のそれぞれの主面の縁部に配置され、封止部材３の厚さの分だけ、前面パネル２と背面パネル４とは隙間が生じている。前面パネル２および背面パネル４としては、ガラス基板などが用いられる。封止部材３により形成される前面パネル２と背面パネル４との間の密閉空間には、ＮｅやＸｅなどの希ガスが注入されている。この密閉空間に電界を印加することにより発光する。
【００２０】
背面パネル４における前面パネル２との接着面の裏面は、熱伝導性の高い両面テープ（図示せず）により、金属シャーシ５と面状に接着されている。金属シャーシ５は、機械的剛性と熱伝導性の双方が良好なアルミなどで形成されている。金属シャーシ５における表示パネル１との接合面の裏面には、電気回路基板（図示せず）が取り付けられている。
【００２１】
筐体６は、表示パネル１の前方に、表示パネル１に対して略平行に配置された前面筐体７と、表示パネル１の後方に配置された背面筐体９と、前面筐体７と背面筐体９とを結合する側面筐体８とを有する。前面筐体７には、表示パネル１の有効表示領域から発せられた光が透過するように、開口部１０が形成されている。
【００２２】
フレーム１１は、図２に示すように、表示パネル１の背後に配置されている。フレーム１１の両端それぞれは、対向する側面筐体８に固定されている。支持部材１２ａは、図４に示すように、一端が金属シャーシ５における表示パネル１が固定された面の裏面に固定され、他端がフレーム１１に固定されている。支持部材１２ａは、コイル状バネ、円筒状ゴムなどの弾性体で形成され、前後方向に伸縮自在である。
【００２３】
前面保護パネル１３は、強化ガラスあるいはプラスチックなどで形成され、前面筐体７の内側に開口部１０を塞ぐように配置されている。
【００２４】
緩衝部材１４は、表示パネル１の有効表示領域より外側の部分と前面保護パネル１３との間に配置され、前面保護パネル１３と表示パネル１との間に埃などが進入することを防ぐ。緩衝部材１４は、ウレタンフォームなどの弾性体である。
【００２５】
次に、プラズマディスプレイ装置が前方を下向きとして落下した場合に、衝撃を受けたプラズマディスプレイ装置の状態について説明する。落下衝撃により、表示パネル１が接着された金属シャーシ５が前後方向に振動する。支持部材１２ａが落下方向に伸縮することで、金属シャーシ５が支持部材１２ａに拘束されずに落下方向に変位する。このため、金属シャーシ５の波打が低減される。一方、落下衝撃時に生じる金属シャーシ５の振動は、緩衝部材１４により減衰されるので、金属シャーシ５の振動は短時間で収束する。
【００２６】
以上のように、本実施の形態に係るプラズマディスプレイ装置は、落下衝撃を受けた際、金属シャーシ５は波打たないため、金属シャーシ３および表示パネル１の変形を低減することができ、表示パネル１のパネル割れを防ぐことができる。
【００２７】
また、緩衝部材１４を設けることにより、プラズマディスプレイ装置に衝撃が加わった際に生じる表示パネル１の振動を早期に減衰することができる。このことにより、表示パネル１の振動による歪によるパネル割れを防ぐことができる。
【００２８】
また、緩衝部材１４を前面保護パネル１３と前面パネル２との間に配置したことにより、前面パネル２が前面保護パネル１３と衝突してパネル割れが生じることを防ぐことができる。
【００２９】
図５は、図３に示すプラズマディスプレイ装置の別の構成を示す断面図である。このプラズマディスプレイ装置は、図３に示すプラズマディスプレイ装置において、金属シャーシ５の側面と側面筐体８との間に、固定部材１５が配置された構成である。
【００３０】
なお、固定部材１５は、剛体で構成することも、弾性体で構成することもできる。また、側面筐体８には前後方向にレール（図示せず）が形成され、固定部材１５はレール上を移動可能な構成とすることができる。これにより、金属シャーシ５の振動に合わせて移動する構成にすることもできる。
【００３１】
この構成により、上記図３の構成のプラズマディスプレイ装置の効果に加え、表示パネル１の振動方向が前後方向に制限され、前後方向以外に振動することによる表示パネル１のパネル割れを防止することができる。また、表示パネル１を筐体内の所定の位置に安定して配置することができる。
【００３２】
（実施の形態２）
図６は、本発明の実施の形態２に係るプラズマディスプレイ装置の構成を示す断面図である。本実施の形態に係るプラズマディスプレイ装置は、実施の形態１に係るプラズマディスプレイ装置に対して、支持部材１２ａおよびフレーム１１に代えて、金属シャーシ５と背面筐体９とを接合している支持部材１２ｂが配置された点が異なる。その他の構成においては、実施の形態１に係るプラズマディスプレイ装置と同様であり、同様の構成要素については同一の符号を付して説明を省略する。
【００３３】
支持部材１２ｂは、金属シャーシ５と背面筐体９との間に配置されている。支持部材１２ｂは、コイル状バネあるいは円筒状ゴムなどの弾性体で形成され、前後方向に伸縮自在である。
【００３４】
以上の構成により、プラズマディスプレイ装置が落下衝撃を受けた際、支持部材１２ｂが落下方向に伸縮することで、金属シャーシ５が支持部材１２ｂに拘束されずに落下方向に変位する。このため、金属シャーシ３および表示パネル１の波打ちなどの変形を低減することができ、表示パネル１のパネル割れを防ぐことができる。
【００３５】
さらに、緩衝部材１４を設けることにより、プラズマディスプレイ装置に衝撃が加わった際に生じる表示パネル１の振動を早期に減衰することができる。このことにより、表示パネル１が振動することによる歪が原因となるパネル割れを防ぐことができる。
【００３６】
また、緩衝部材１４が前面保護パネル１３と前面パネル２との間に位置されており、前面保護パネル１３と前面パネル２との間に隙間が生じている。この隙間のため、プラズマディスプレイ装置に衝撃が加わった際に、前面パネル２と前面保護パネル１３とが衝突してパネル割れが生じることを防ぐことができる。
【００３７】
図７は、本実施の形態に係るプラズマディスプレイ装置の別の構成を示す断面図である。補強板１６は、支持部材１２ｂと背面筐体９との間に配置されている。他の構成は、図６に示すプラズマディスプレイ装置と同様である。
【００３８】
補強板１６がなく、背面筐体９が鉄製の薄板である場合、落下衝撃により、背面筐体９における支持部材１２ｂの固定部付近において、落下衝撃が支持部材１２ｂから掛かり、背面筐体９が塑性変形する可能性がある。補強板１６を配置した構成によれば、固定部付近の剛性を高めることができ、さらに補強板１６を固定部より大きくすることで掛かる力を分散することができる。このため、図６の構成と同等のパネル割れ防止効果を有しながら、背面筐体９の変形を防止することが可能となる。
【００３９】
図８は、本実施の形態に係るプラズマディスプレイ装置のさらに別の構成を示す断面図である。このプラズマディスプレイ装置は、図７に示すプラズマディスプレイ装置において、金属シャーシ５の側面と側面筐体８との間に、固定部材１５が形成された構成である。この固定部材１５は、金属シャーシ５が前後方向以外に変位および振動することを阻止する。この固定部材１５は、剛体であっても、弾性体であってもよい。
【００４０】
この構成により、図６の構成のプラズマディスプレイ装置の効果に加え、表示パネル１の振動方向が前後方向に制限され、前後方向以外に振動することによる表示パネル１のパネル割れを防止することができる。また、表示パネル１を筐体内の所定の位置に安定して配置することができる。
【００４１】
なお、実施の形態１および２において、緩衝部材１４は、前面保護パネル１３または前面筐体７の内側と、金属シャーシ５の表示パネル１との接合面側における表示パネル１の接合部から延在された部分との間あるいは、前面筐体７と表示パネル１との間に配置されていても、上記効果を得ることができる。
【００４２】
また、実施の形態１および２において、前面保護パネル１３がなく、緩衝部材１４が前面筐体７と、表示パネル１との間に配置された構成にすることができる。この構成により、映像表示装置を薄く形成することができる。
【００４３】
あるいは、実施の形態１および２において、前面保護パネル１３がなく、緩衝部材１４が前面筐体７と、金属シャーシ５の表示パネル１との接合面側における表示パネル１の接合部から延在された部分との間に配置された構成にすることもできる。この構成においても、映像表示装置を薄く形成することができる。
【００４４】
なお、実施の形態１および２において、プラズマディスプレイ装置を用いて説明したが、金属シャーシに接合された表示パネルであれば、液晶表示装置などの映像表示装置であっても上記構成とすることで、パネル割れを防止することができる。
【００４５】
なお、側面筐体８が前面筐体７および背面筐体９と独立して形成された場合を示したが、前面筐体７または背面筐体９と一体形成されていてもよい。
【産業上の利用可能性】
【００４６】
本発明は、輸送時の落下などによるパネル割れを防止することができ、プラズマディスプレイ装置などの映像表示装置として利用することができる。
【図面の簡単な説明】
【００４７】
【図１】本発明の実施の形態１に係るプラズマディスプレイ装置の構成を示す斜視図
【図２】実施の形態１に係るプラズマディスプレイ装置の背面からの斜視図
【図３】実施の形態１に係るプラズマディスプレイ装置の断面図
【図４】実施の形態１に係るプラズマディスプレイ装置の断面拡大図
【図５】本発明の実施の形態１に係るプラズマディスプレイ装置の別の構成を示す断面図
【図６】本発明の実施の形態２に係るプラズマディスプレイ装置の構成を示す断面図
【図７】本発明の実施の形態２に係るプラズマディスプレイ装置の別の構成を示す断面図
【図８】本発明の実施の形態２に係るプラズマディスプレイ装置のさらに別の構成を示す断面図
【図９】従来のプラズマディスプレイ装置の構成を示す断面図
【図１０】従来のプラズマディスプレイ装置が衝撃を受けた状態を示す断面図
【図１１】従来の別のプラズマディスプレイ装置の構成を示す断面図
【符号の説明】
【００４８】
１  表示パネル
２  前面パネル
３  封止部材
４  背面パネル
５  金属シャーシ
６  筐体
７  前面筐体
８  側面筐体
９  背面筐体
１０  開口部
１１  フレーム
１２ａ、１２ｂ  支持部材
１３  前面保護パネル
１４  緩衝部材
１５  固定部材
１６  補強板
【図１】
2010060908.tif 000003
【図２】
2010060908.tif 000004
【図３】
2010060908.tif 000005
【図４】
2010060908.tif 000006
【図５】
2010060908.tif 000007
【図６】
2010060908.tif 000008
【図７】
2010060908.tif 000009
【図８】
2010060908.tif 000010
【図９】
2010060908.tif 000011
【図１０】
2010060908.tif 000012
【図１１】
2010060908.tif 000013